(57)【要約】【課題】  写真画像等の連続階調画像を不可視の情報として印刷模様内に埋め込む際に、振幅、周波数又は位相の各変調によるものではなく、画像（イメージ）そのものとして簡単に読み取れるための形成技術を、誰もが簡単に作成可能とする。【解決手段】  本発明は、特定の観察条件でのみ可視となる連続階調を有する画像を潜像模様として埋め込むための作成方法であって、潜像模様の基となる連続階調画像を設定し、その基画像を多階調に変換して二つの多階調画像を準備し、それぞれの多階調画像に対して濃度値の異なるトーンカーブを適用してコントラストの低いポジ及びネガの多階調画像を生成し、特定の観察条件のみで可視となるような画線形式とするためのパターンファイルを適用して２階調画像を生成し、最後にその二つの画像を合成するステップを備えたことを特徴とする。【選択図】  図３
2018134841.tif 000002
【特許請求の範囲】
【請求項１】
肉眼では不可視、かつ、特定の観察方法では可視となる連続階調を有する画像が潜像模様として形成された偽造防止印刷物用のデータを、少なくとも前記連続階調を有する画像及び前記連続階調を有する画像用の画線設計値を入力する入力手段と、入力された画像及び設計値を基に、前記連続階調を有する画像を、画線を用いて肉眼では不可視、かつ、特定の観察方法では可視とするための編集を行う編集手段とを少なくとも備えた偽造防止印刷物用データの作成装置を用いて、作成する方法であって、
前記入力手段を用いて、前記潜像模様の基となる前記連続階調を有する画像を、外部又はあらかじめ登録してあるデータベースから取り込んで基画像を設定するステップと、
前記編集手段を用いて、前記基画像を多階調の画像へ変換して、第１及び第２の二つの多階調画像を準備するステップと、
前記編集手段を用いて、前記二つの多階調画像に対し、濃度値の異なる第１及び第２の二つのトーンカーブを適用して、前記基画像よりコントラストの低いポジ状の第１ａ及びネガ状の第２ａの多階調画像を生成するステップと、
前記編集手段を用いて、特定の観察方法でのみ可視となる前記潜像模様と前記潜像模様を肉眼では不可視とさせるためのカモフラージュ模様の各々の模様を形成するための画線を所望の画線形式とするため、前記第１ａ及び第２ａの多階調画像にパターンファイルを適用し、２階調の第１の画像及び第２の画像を生成するステップと、
前記編集手段を用いて、前記第１の画像及び前記第２の画像を合成した画像を生成するステップと、を備えることを特徴とする偽造防止印刷物用データの作成方法。
【請求項２】
前記基画像を設定するステップでは、更に肉眼で視認可能とする可視模様の基となる画像を、外部又はあらかじめ登録してあるデータベースから取り込んで可視模様の基画像を設定し、
前記多階調画像を準備するステップでは、更に前記可視模様の基画像を多階調の画像へ変換して第３の多階調画像を準備し、
前記多階調画像を生成するステップでは、更に前記第３の多階調画像に対し、濃度値の異なる第３のトーンカーブを適用して、前記可視模様の基画像よりコントラストの低い第３ａの多階調画像を生成し、
２階調の画像を生成するステップでは、更に肉眼で視認可能な前記可視模様を構成し、かつ、特定の観察方法では不可視となるための画線を所望の画線形式とするため、前記第３ａの多階調画像にパターンファイルを適用し、２階調の第３の画像を生成し、
合成画像を生成するステップでは、前記第１の画像及び前記第２の画像を合成した合成画像に、更に前記第３の画像を合成することを特徴とする請求項１記載の偽造防止印刷物用データの作成方法。
【請求項３】
前記合成画像に対して、カラー印刷機用にＣＭＹＫの多チャンネル画像への変換を行うステップを備えることを特徴とする請求項１又は２記載の偽造防止印刷物用データの作成方法。
【請求項４】
肉眼では不可視、かつ、特定の観察方法では可視となる連続階調を有する画像が潜像模様として形成された偽造防止印刷物用のデータを作成する方法を、少なくとも前記連続階調を有する画像及び前記連続階調を有する画像用の画線設計値を入力する入力手段と、入力された画像及び設計値を基に、前記連続階調を有する画像を、画線を用いて肉眼では不可視、かつ、特定の観察方法では可視とするための編集を行う編集手段とを少なくとも備えたコンピュータに実行させる偽造防止印刷物用ソフトウェアであって、
前記入力手段を用いて、前記潜像模様の基となる前記連続階調を有する画像を、外部又はあらかじめ登録してあるデータベースから取り込んで基画像を設定するステップと、
前記編集手段を用いて、前記基画像を多階調の画像へ変換して、第１及び第２の二つの多階調画像を準備するステップと、
前記編集手段を用いて、前記二つの多階調画像に対し、濃度値の異なる第１及び第２の二つのトーンカーブを適用して、前記基画像よりコントラストの低いポジ状の第１ａ及びネガ状の第２ａの多階調画像を生成するステップと、
前記編集手段を用いて、特定の観察方法でのみ可視となる前記潜像模様と前記潜像模様を肉眼では不可視とさせるためのカモフラージュ模様の各々の模様を形成するための画線を所望の画線形式とするため、前記第１ａ及び第２ａの多階調画像にパターンファイルを適用し、２階調の第１の画像及び第２の画像を生成するステップと、
前記編集手段を用いて、前記第１の画像及び前記第２の画像を合成した画像を生成するステップと、を備えることを特徴とする偽造防止印刷物用データの作成用ソフトウェア。
【請求項５】
前記基画像を設定するステップでは、更に肉眼で視認可能とする可視模様の基となる画像を、外部又はあらかじめ登録してあるデータベースから取り込んで可視模様の基画像を設定し、
前記多階調画像を準備するステップでは、更に前記可視模様の基画像を多階調画像へ変換して第３の多階調画像を準備し、
前記トーンカーブを適用するステップでは、更に前記第３の多階調画像に対し、濃度値の異なる第３のトーンカーブを適用して、前記可視模様の基画像よりコントラストの低い第３ａの多階調画像を生成し、
２階調の画像を生成するステップでは、更に肉眼で視認可能な前記可視模様を構成し、かつ、特定の観察方法では不可視となるための画線を、前記第３ａの多階調画像を所望の画線形式とするためのパターンファイルを適用し、２階調の第３の画像を生成し、
合成画像を生成するステップでは、前記第１の画像及び前記第２の画像を合成した合成画像に、更に前記第３の画像を合成することを特徴とする請求項４記載の偽造防止印刷物用データの作成用ソフトウェア。
【請求項６】
前記合成画像に対して、カラー印刷機用にＣＭＹＫの多チャンネル画像への変換を行うステップを備えることを特徴とする請求項４又は５記載の偽造防止印刷物用データの作成用ソフトウェア。
【発明の詳細な説明】
【技術分野】
【０００１】
本発明は、銀行券、パスポート、株券、債券等の有価証券、各種証明書、重要書類等の偽造、改ざんの防止が求められるセキュリティ印刷物において、写真等の連続階調を有する画像を、画線を用いて構成されている模様内に、連続階調のイメージとして埋め込み、そのままのイメージ画像として出現することが可能な偽造防止印刷物用のデータの作成方法及びその作成用ソフトウェアに関するものである。
【背景技術】
【０００２】
銀行券、パスポート、株券、債券等の有価証券、各種証明書、重要書類等のセキュリティ印刷物において、偽造、改ざん防止策は重要な要素である。これらのセキュリティ印刷物の偽造、改ざん防止策は、従来から様々な技術が開発及び実施されてきている。
【０００３】
これらの偽造、改ざん防止策の例として、従来から網点又は画線の配置による粗密（面積率）を用いて、複写機で再生される領域と、再生されない領域とで、複写牽制模様を形成する複写防止技術が数多く創出されてきている。
【０００４】
このような複写防止技術として、本出願人は、曲線状の集合模様を、潜像を施さない部分の線画を連続線、潜像を施した部分の線画を基本曲線方向に一定の間隔で配列された所定の形状の画線から成る定周期断絶線で構成し、潜像を施した部分の定周期断絶線のうち、基本曲線方向に連続した一つの画線部と非画線部から成る一周期に相当する部分の画線面積が、潜像を施さない部分の連続線のうち、一周期に相当する部分の画線面積と等しくなることを特徴とした複写防止模様を有する印刷物を出願している（特許文献１参照）。
【０００５】
また、本出願人は、複写機で再生される第１の大きさの画線と、複写機で再生されない第２の大きさの画線によって同一濃度の背景部を形成し、更には、複写機で再生されない第３の大きさの画線によって可視画像部を形成することで、印刷物を通常光源下で観察した場合には、背景部上に形成された可視画像部の濃度によって可視画像が観察されるが、印刷物をカラー複写機等の複写機で複写した場合、可視画像部を形成する第３の大きさの画線と、背景部を形成する第２の大きさの画線は再生されないことで、可視画像とは全く異なる潜像画像が出現するという、画像のチェンジ効果を備えた複写、改ざん防止印刷物を出願している（特許文献２参照）。
【０００６】
セキュリティ印刷物の偽造、改ざん防止策は、前述した複写防止技術だけではなく、他にも様々な技術分野が存在している。その中で、前述の特許文献１を始めとする本出願人が数多く開発してきた複写防止技術の主たる構成となっていた分断画線を用いて、本出願人は、複写防止技術ではなく、目には見えない情報をその模様内に埋め込む、いわゆる電子すかしと呼ばれる技術分野において新たな技術を開発した。この電子すかしと呼ばれる技術は、振幅、周波数又は位相の各変調により識別情報を模様内に埋め込むことが一般的である。
【０００７】
この新たに開発した技術とは、線画に含まれている画線の少なくとも一部を、画線の長手方向に対して直交する方向に分断した複数の分断線に対し、埋め込む情報に対応して画線間隔を設定したユニットを複数形成することで、線画による模様をデジタル画像にフーリエ変換し、フーリエ変換のパターンから分断線の間隔、位置及び配置による相関を分析して埋め込まれた情報により識別可能な印刷物である（特許文献３参照）。
【０００８】
さらに、本出願人は、証明書等に形成されることが多い、顔画像等の連続階調画像を形成可能な複写防止技術を開発した（特許文献４参照）。この特許文献４に記載の技術は、複写機で再現される第１の画線を有する潜像領域と、複写機で再現されない第２の画線を有するカモフラージュ領域から成るユニットが複数配置され、各々のユニットにおける第１の画線と第２の画線の合計の面積が全て同一に形成され、第１の画線の面積の大小により連続階調を備えた潜像画像が形成される偽造防止用印刷物である。
【先行技術文献】
【特許文献】
【０００９】
【特許文献１】特許第３２６８４１８号公報
【特許文献２】特許第５６９２６６３号公報
【特許文献３】特許第４０８２４４８号公報
【特許文献４】特開２０１６−１７２３４０号公報
【発明の概要】
【発明が解決しようとする課題】
【００１０】
特許文献１に記載の技術については、従来からセキュリティ印刷物に多用化されてきた偽造や変造の防止策としての幾何学模様に対して、肉眼では全くその存在が確認できない潜像模様を、カモフラージュ模様を刷り重ねる必要もなく形成できる技術であり、また、特許文献２に記載の技術については、複写前の画像と複写後の画像の一部が重複して
形成されても、どちらの画像も他方の画像に影響することなく、明瞭に入れ替わる技術ではあるが、いずれの技術も、階調を備えた画像ではなく、更には、複数の印刷物に対して全て同じ画像が形成され、可変情報として画像を形成するものではなかった。
【００１１】
また、特許文献３に記載の技術については、前述したセキュリティ印刷物に多用化されている幾何学模様に、肉眼では視認できない情報を埋め込むことができ、真偽判別性が更に向上したところではあるが、情報を読み込むには、特殊な読取装置や対応するソフトウェアが必要となり、広く普及させるには環境を整える必要があった。
【００１２】
さらに、特許文献４記載の技術については、連続階調画像を形成することが可能となったため、証明書等に形成される本人の顔画像等を形成することが可能となったが、元となる連続階調画像を複写機で再現可能な画線と再現不可能な画線の二つの画線により形成するには、高度な技術を要するものであった。
【００１３】
本発明は、前述した課題の解決を目的とするものであり、写真画像等の連続階調画像を肉眼では視認できない情報として印刷模様内に埋め込む際に、振幅、周波数又は位相の各変調によるものではなく、画像（イメージ）そのものとして簡単に読み取れるための不可視情報の形成技術を、誰もが簡単に作成可能とするための偽造防止印刷物用データの作成方法及びその作成用ソフトウェアを提供する。
【課題を解決するための手段】
【００１４】
本発明は、肉眼では不可視、かつ、特定の観察方法では可視となる連続階調を有する画像が潜像模様として形成された偽造防止印刷物用のデータを、少なくとも連続階調を有する画像及び連続階調を有する画像用の画線設計値を入力する入力手段と、入力された画像及び設計値を基に、連続階調を有する画像を、画線を用いて肉眼では不可視、かつ、特定の観察方法では可視とするための編集を行う編集手段とを少なくとも備えた偽造防止印刷物用データの作成装置を用いて、作成する方法であって、入力手段を用いて、潜像模様の基となる連続階調を有する画像を、外部又はあらかじめ登録してあるデータベースから取り込んで基画像を設定するステップと、編集手段を用いて、基画像を多階調の画像へ変換して、第１及び第２の二つの多階調画像を準備するステップと、編集手段を用いて、二つの多階調画像に対し、濃度値の異なる二つのトーンカーブを適用して、基画像よりコントラストの低いポジ状の第１ａ及びネガ状の第２ａの多階調画像を生成するステップと、編集手段を用いて、特定の観察方法でのみ可視となる潜像模様と潜像模様を肉眼では不可視とさせるためのカモフラージュ模様の各々の模様を形成するための画線を所望の画線形式とするため、第１ａ及び第２ａの多階調画像にパターンファイルを適用し、２階調の第１の画像及び第２の画像を生成するステップと、編集手段を用いて、第１の画像及び第２の画像を合成した画像を生成するステップと、を備えることを特徴とする偽造防止印刷物用データの作成方法である。
【００１５】
また、本発明の偽造防止印刷物用データの作成方法は、基画像を設定するステップでは、更に肉眼で視認可能とする可視模様の基となる画像を、外部又はあらかじめ登録してあるデータベースから取り込んで可視模様の基画像を設定し、多階調画像を準備するステップでは、更に可視模様の基画像を多階調画像へ変換して第３の多階調画像を準備し、多階調画像を生成するステップでは、更に第３の多階調画像に対し、濃度値の異なるトーンカーブを適用して、可視模様の基画像よりコントラストの低い第３ａの多階調画像を生成し、２階調の画像を生成するステップでは、更に肉眼で視認可能な前記可視模様を構成し、かつ、特定の観察方法では不可視となるための画線を所望の画線形式とするため、第３ａの多階調画像にパターンファイルを適用し、２階調の第３の画像を生成し、合成画像を生成するステップでは、第１の画像及び第２の画像を合成した合成画像に、更に第３の画像を合成することを特徴とする。
【００１６】
また、本発明の偽造防止印刷物用データの作成方法は、合成画像に対して、カラー印刷機用にＣＭＹＫの多チャンネル画像への変換を行うステップを備えることを特徴とする。
【００１７】
本発明は、肉眼では不可視、かつ、特定の観察方法では可視となる連続階調を有する画像が潜像模様として形成された偽造防止印刷物用のデータを作成する方法を、少なくとも連続階調を有する画像及び連続階調を有する画像用の画線設計値を入力する入力手段と、入力された画像及び設計値を基に、連続階調を有する画像を、画線を用いて肉眼では不可視、かつ、特定の観察方法では可視とするための編集を行う編集手段とを少なくとも備えたコンピュータに実行させる偽造防止印刷物用ソフトウェアであって、入力手段を用いて、潜像模様の基となる連続階調を有する画像を、外部又はあらかじめ登録してあるデータベースから取り込んで基画像を設定するステップと、編集手段を用いて、基画像を多階調の画像へ変換して、第１及び第２の二つの多階調画像を準備するステップと、編集手段を用いて、二つの多階調画像に対し、濃度値の異なる二つのトーンカーブを適用して、基画像よりコントラストの低いポジ状の第１ａ及びネガ状の第２ａの多階調画像を生成するステップと、編集手段を用いて、特定の観察方法でのみ可視となる潜像模様と潜像模様を肉眼では不可視とさせるためのカモフラージュ模様の各々の模様を形成するための画線を所望の画線形式とするため、第１ａ及び第２ａの多階調画像にパターンファイルを適用し、２階調の第１の画像及び第２の画像を生成するステップと、編集手段を用いて、第１の画像及び第２の画像を合成した画像を生成するステップと、を備えることを特徴とする偽造防止印刷物用データの作成用ソフトウェアである。
【００１８】
また、本発明の偽造防止印刷物用データの作成用ソフトウェアは、基画像を設定するステップでは、更に肉眼で視認可能とする可視模様の基となる画像を、外部又はあらかじめ登録してあるデータベースから取り込んで可視模様の基画像を設定し、多階調画像を準備するステップでは、更に可視模様の基画像を多階調画像へ変換して第３の多階調画像を準備し、トーンカーブを適用するステップでは、更に第３の多階調画像に対し、濃度値の異なるトーンカーブを適用して、可視模様の基画像よりコントラストの低い第３ａの多階調画像を生成し、２階調の画像を生成するステップでは、更に肉眼で視認可能な可視模様を構成し、かつ、特定の観察方法では不可視となるための画線を、第３ａの多階調画像を所望の画線形式とするためのパターンファイルを適用し、２階調の第３の画像を生成し、合成画像を生成するステップでは、第１の画像及び第２の画像を合成した合成画像に、更に第３の画像を合成することを特徴とする。
【００１９】
さらに、本発明の偽造防止印刷物用データの作成用ソフトウェアは、合成画像に対して、カラー印刷機用にＣＭＹＫの多チャンネル画像への変換を行うステップを備えることを特徴とする。
【発明の効果】
【００２０】
本発明により、写真画像等の連続階調画像が、一般的な複写機を用いて連続階調画像として再現できるように印刷模様内に埋め込む技術を、誰もが同様、かつ、容易に行えることが可能である。
【００２１】
また、本発明の偽造防止印刷物用データの作成用ソフトウェアを用いることで、連続階調画像の個人情報、いわゆる顔写真を簡単に印刷物に付与可能となるため、各自治体での証明書類の印刷・発行や、パスポートにおける個人情報としての顔写真の印刷が可能である。
【図面の簡単な説明】
【００２２】
【図１】本発明が対象とする偽造防止印刷物の例が示された図。
【図２】偽造防止印刷物用のデータを作成するための作成装置の構成を示す図。
【図３】偽造防止印刷物用のデータの作成用ソフトウェアの処理フローが示された図。
【図４】不可視画像となる２４ｂｉｔＲＧＢ画像の顔写真が示された図。
【図５】１系統目の８ｂｉｔ多階調画像と、２系統目の８ｂｉｔ多階調画像とが示された図。
【図６】１系統目の１ｂｉｔモノクロ画像である第１の画像と、２系統目の１ｂｉｔモノクロ画像である第２の画像とが示された図。
【図７】１系統目の１ｂｉｔモノクロ画像と、２系統目の１ｂｉｔモノクロ画像とが合成された１ｂｉｔモノクロ画像が示された図。
【図８】可視画像となる２４ｂｉｔＲＧＢ画像の模様が示された図。
【図９】３系統目の８ｂｉｔ多階調画像が示された図。
【図１０】３系統目の１ｂｉｔモノクロ画像である第３の画像が示された図。
【図１１】１系統目の１ｂｉｔモノクロ画像と、２系統目の１ｂｉｔモノクロ画像と、３系統目の１ｂｉｔモノクロ画像とが合成された１ｂｉｔモノクロ画像が示された図。
【図１２】本発明で適用されるパターンファイルが示された図。
【発明を実施するための形態】
【００２３】
本発明を実施するための形態について、図面を参照して説明する。しかしながら、本発明は、以下に述べる実施するための形態に限定されるものではなく、特許請求の範囲記載における技術的思想の範囲内であれば、その他の様々な実施の形態が含まれる。
【００２４】
図１は、本発明が対象とする偽造防止印刷物（以下「印刷物」という。）（１）の例である。図１の例では、身分証明書において、基材（２）上に顔写真（４）と複写防止機能を有する印刷模様（３）と可視模様（９）とが形成された印刷物（１）である。図１に示すように、印刷模様（３）には、複写すると出現する潜像模様（６）が形成されている潜像領域（５）を備えている。この潜像領域（５）を形成している印刷模様（３）の画線構成は、図１（ａ）の拡大図に示すように、図中の縦方向に延びており、連続的に画線太さが異なり、複写すると再現される潜像画線（７）と、潜像画線（７）間に図中の横方向に延びて配置されており、複写すると再現されないカモフラージュ画線（８）が配置されている。また、可視模様（９）を形成するための可視画線（１０）を備えている。なお、可視画線（１０）も複写すると再現されない。
【００２５】
この印刷物（１）を複写機で複写すると、図１（ｂ）に示すように、カモフラージュ画線（８）及び可視画線（１０）が再現されず、画線太さに対応した連続階調を表している潜像模様（６）である顔画像が出現する。なお、図１（ｂ）の拡大図中に点線にてカモフラージュ画線（８）及び可視画線（１０）を表しているが、複写前の画線の存在箇所を示すためであり、実際の複写物には存在していない。
【００２６】
（偽造防止印刷物の作製装置）
本発明は、写真等の連続階調を有する画像を、画線を用いて構成されている模様内に、連続階調のイメージとして埋め込み、そのままのイメージ画像として出現することが可能な印刷物用のデータの作成方法及びその作成用ソフトウェアに関するものであり、その印刷物用のデータを作成するための作成装置の構成を図２に示す。本実施の形態における印刷物用のデータの作成装置は、図２のブロック図に示すように、入力手段（Ｍ１）、編集手段（Ｍ２）、出力手段（Ｍ３）、表示手段（Ｍ４）、通信インターフェース（Ｍ５）及びデータベース（Ｍ６）を備えている。
【００２７】
入力手段（Ｍ１）は、潜像模様入力手段（Ｍ１ａ）、可視模様入力手段（Ｍ１ｂ）及び情報入力手段（Ｍ１ｃ）とで構成され、潜像模様入力手段（Ｍ１ａ）における可視模様（９）の入力及び可視模様入力手段（Ｍ１ｂ）における潜像模様（６）の入力は、デジタルカメラ、スキャナ等、特に限定されるものではない。また、データベース（Ｍ６）又は通信インターフェース（Ｍ５）によってあらかじめ登録されたデータベースサーバから画像、テキスト等を得ることができる。
【００２８】
一方、情報入力手段（Ｍ１ｃ）は、対象とする個人の情報、潜像模様及び可視模様用の画線に対する解像度、トーンカーブの設計値（以下「設計値等」という。）をキーボード等からの入力、また、データベース（Ｍ６）と同じパソコン内に登録されている数値情報、通信インターフェース（Ｍ５）よってあらかじめ入力された外部のデータベースサーバから数値情報を得ることもできる。この数値情報とは、後述する第１の画像、第２の画像及び第３の画像に関わる出力解像度等である。
【００２９】
なお、本発明の好ましい実施の形態としては、潜像模様（６）が使用者の個人情報、特に顔写真とリンクした、１枚ごとに異なる情報であり、具体的にはパスポートや免許証に使用することではあるが、それに限定されるものではなく、全ての印刷物（１）において同じ内容の潜像模様が形成されていてもよい。その場合には、個人情報を入力する必要性はないため、情報入力手段（Ｍ１ｃ）については、入力する情報の種類は、作製する製品の形態により異なる。
【００３０】
編集手段（Ｍ２）は、第１の画像生成手段（Ｍ２ａ）、第２の画像生成手段（Ｍ２ｂ）、第３の画像生成手段（Ｍ２ｃ）、画像合成手段（Ｍ２ｄ）で構成されている。通信インターフェース（Ｍ５）又はデータベース（Ｍ６）から得られた潜像模様、可視模様、数値情報、パターンファイル等により、第１の画像生成手段（Ｍ２ａ）では第１の画像が生成され、第２の画像生成手段（Ｍ２ｂ）では第２の画像が生成され、第３の画像生成手段（Ｍ２ｃ）では必要に応じて第３の画像が生成され、画像合成手段（Ｍ２ｄ）では、第１の画像と第２の画像が合成され、必要に応じて第１の画像、第２の画像及び第３の画像とが合成される。
【００３１】
出力手段（Ｍ３）は、カラー・レーザープリンタ、カラー・インクジェットプリンタ等のコンピュータからの画像を印刷可能な印刷装置等であり、特に限定されるものではない。表示手段（Ｍ４）は、パソコンのモニタ、専用のモニタ等、特に限定されるものではない。また、通信インターフェース（Ｍ５）は、ＵＳＢ、ＩＥＥＥ１３９４、又はＴＣＰ／ＩＰ等、特に限定されるものではない。
【００３２】
（印刷物の作製方法）
次に、前述した印刷物の作製装置を用いて印刷物用のデータを作成する方法及びそのためのソフトウェアについて詳細に説明する。図３に示すソフトウェアの処理フローは、実線で囲われたメイン処理フローと、点線に囲われたサブ処理フローによって構成される。
【００３３】
（メイン処理フロー）
図３の実線で囲われたメイン処理フローについて説明する。まず、潜像模様（６）を設定するＳｔｅｐ１は、作製者が希望する潜像模様（６）の基となる画像を外部から、又はあらかじめ登録されているデータベースから取り込み、ソフトウェアが表示して、作製者が確認して、ソフトウェアが入力手段を用いて基画像（１１）として設定する。例えば、デジタルカメラ等から入力された２４ｂｉｔＲＧＢ画像又は８ｂｉｔ多階調画像を設定する。本実施の形態では、図４に示された２４ｂｉｔＲＧＢ画像の顔写真が基画像（１１）であり、画像解像度を４００ｄｐｉ、画像サイズを５００×６００ｐｉｘｌとした。
【００３４】
次に、多階調画像を準備するＳｔｅｐ２について説明する。本発明では、多階調のグレースケール画像を「多階調画像」といい、２階調のグレースケール画像を「２階調画像」といい、さらに、ＣＭＹＫのフルカラーの多階調の画像を「多チャンネル画像」として説明する。
【００３５】
ソフトウェアは、Ｓｔｅｐ１で設定した基画像（１１）から２系統の第１の多階調画像（１２）及び第２の多階調画像（１５）をコンピュータのメモリ上に確保し、それぞれ２系統を並列で処理する。ソフトウェアは、Ｓｔｅｐ１で設定した基画像（１１）が２４ｂｉｔＲＧＢ画像であった場合は、８ｂｉｔ多階調画像に変換してから２系統の多階調画像を準備する。また、Ｓｔｅｐ１で設定された基画像（１１）が８ｂｉｔ多階調画像の場合は、そのまま２系統の多階調画像を準備する。
【００３６】
次に、Ｓｔｅｐ３について説明する。ソフトウェアは、Ｓｔｅｐ２でメモリ上に準備した２系統の８ｂｉｔ多階調画像において、それぞれにトーンカーブの適用を行う。本実施の形態では、図５（ａ）に示したように、ソフトウェアは、１系統目の８ｂｉｔの第１の多階調画像（１２）に、第１のトーンカーブ（１３）を適用する。ソフトウェアは、濃度値２５５を濃度値２２２とし、濃度値０を濃度値１９９とし、リニアな連続性を持ったトーンカーブとしている。この結果、第１のトーンカーブ（１３）を適用後の８ｂｉｔの第１ａの多階調画像（１４）は、一見してコントラストの低いポジ状となって生成される。
【００３７】
また、図５（ｂ）に示したように、ソフトウェアは、２系統目の８ｂｉｔの第２の多階調画像（１５）に、第２のトーンカーブ（１６）を適用する。ソフトウェアは、濃度値２５５を濃度値２３２とし、濃度値０を濃度値２５５とし、リニアな連続性を持ったトーンカーブとしている。この結果、第２のトーンカーブ（１６）を適用後の８ｂｉｔの第２ａの多階調画像（１７）は、一見してコントラストの低いネガ状となって生成される。
【００３８】
次に、Ｓｔｅｐ４について説明する。ソフトウェアは、Ｓｔｅｐ３で生成された１系統目のポジ状の８ｂｉｔの第１ａの多階調画像（１４）と、２系統目のネガ状の８ｂｉｔの第２ａの多階調画像（１７）に対して、それぞれに所望の画線形状とするためのパターンファイルを適用した１ｂｉｔ２階調画像に変換して生成する。
【００３９】
本実施の形態では、図６（ａ）に示したように、１系統目のポジ状の８ｂｉｔの第１ａの多階調画像（１４）は、第１のパターンファイル（Ａ）が適用される。第１のパターンファイル（Ａ）は、図１で示した、複写すると再現される潜像画線（７）が創出されるものである。この結果、第１のパターンファイル（Ａ）を適用後の１ｂｉｔ２階調画像は、一見して縦万線状となって生成される。これを第１の画像（１８）と称する。
【００４０】
また、図６（ｂ）に示したように、２系統目のネガ状の８ｂｉｔの第２ａの多階調画像（１７）は、第２のパターンファイル（Ｂ）が適用される。第２のパターンファイル（Ｂ）は、図１で示した、複写すると再現されないカモフラージュ画線（８）を創出させるものである。この結果、第２のパターンファイル（Ｂ）を適用後の１ｂｉｔ２階調画像は、一見して法線方向に横長の点線状となって生成される。これを第２の画像（１９）と称する。
【００４１】
なお、本実施の形態では、第１のパターンファイル（Ａ）を適用した１ｂｉｔ２階調画像、いわゆる第１の画像（１８）及び第２のパターンファイル（Ｂ）を適用した１ｂｉｔ２階調画像、いわゆる第２の画像（１９）を、ソフトウェアは、８ｂｉｔ多階調画像から１ｂｉｔ２階調画像に変換する際、２４００ｄｐｉとなって生成する。これは、本実施の形態で用いられている最終的な印刷デバイスのカラー・レーザープリンタの出力解像度に合わせたものであり、これに限定されるものではない。したがって、８ｂｉｔ多階調画像から１ｂｉｔ２階調画像への変換では、作製者が印刷デバイスの解像度に適宜合わせて設定し、ソフトウェアが実行すればよい。また、印刷デバイスの解像度への適合は、どのＳｔｅｐで行われても構わない。本実施の形態では、メモリの消耗量の少ない１ｂｉｔ２階調画像で行うことが最良とし、以下説明する。また、パターンファイルの詳細については、後述する。
【００４２】
次に、Ｓｔｅｐ５について説明する。ソフトウェアは、１ｂｉｔ２階調画像である第１の画像（１８）と第２の画像（１９）の合成を行う。すなわち、図６に示した、第１のパターンファイル（Ａ）を適用した１ｂｉｔ２階調画像の第１の画像（１８）と、第２のパターンファイル（Ｂ）を適用した１ｂｉｔ２階調画像の第２の画像（１９）とを合成し、図７に示した一つの１ｂｉｔ２階調画像となって生成する。これを合成画像（２０）と称する。
【００４３】
次に、ソフトウェアは、必要に応じてＳｔｅｐ６の３２ｂｉｔＣＭＹＫの多チャンネル画像への変換を実行する。これは、カラー・レーザープリンタ等の各種印刷デバイスの適性に応じて実行するものである。本実施の形態では、図７に示された１ｂｉｔ２階調画像の合成画像（２０）が８ｂｉｔ画像に変化し、かつ、ＣＭＹＫの多チャンネルのうちのＣ（シアン）チャンネルに置換した。
【００４４】
以上が、本発明の印刷物のメインの処理フローであるが、ここまででは、図７に示した一様の模様となっているが、通常の環境において視認可能となる可視模様（９）を形成する場合について、以下、図３の点線で囲われたサブ処理フローについて説明する。
【００４５】
（サブ処理フロー）
潜像模様（６）を設定するＳｔｅｐ１と並列して、可視模様（９）を設定するＳｔｅｐ１−２は、作製者が希望する可視模様（９）の基となる画像を外部から、又はあらかじめ登録されているデータベースから取り込み、ソフトウェアが表示して、作製者が確認して、ソフトウェアが入力手段を用いて設定する。例えば、デジタルカメラ等から入力した２４ｂｉｔＲＧＢ画像又は８ｂｉｔ多階調画像を設定する。本実施の形態では、図８に示された２４ｂｉｔＲＧＢ画像の模様（２１）であり、顔写真（４）と同じく画像解像度を４００ｄｐｉ、画像サイズを５００×６００ｐｉｘｌとした。
【００４６】
次に、図３の点線囲い内のサブ処理フローにおける多階調画像を準備するＳｔｅｐ２−２について説明する。ソフトウェアは、３系統目の第３の多階調画像（２２）をコンピュータのメモリ上に確保し、Ｓｔｅｐ１−２で設定した可視模様（９）用の基画像が２４ｂｉｔＲＧＢ画像であった場合は、８ｂｉｔ多階調画像に変換してから３系統目の多階調画像を準備する。また、ソフトウェアは、Ｓｔｅｐ１−２で設定した可視模様（９）が８ｂｉｔ多階調画像の場合は、そのまま３系統目の第３の多階調画像を準備する。
【００４７】
次に、図３の点線囲い内のサブ処理フローに示したＳｔｅｐ３−２について説明する。ソフトウェアは、Ｓｔｅｐ２−２でメモリ上に準備された３系統目の８ｂｉｔの第３の多階調画像（２２）においてトーンカーブの適用を行う。本実施の形態では、図９に示したように、３系統目の８ｂｉｔの第３の多階調画像（２２）に第３のトーンカーブ（２３）を適用する。ソフトウェアは、濃度値２５５を濃度値２５５、濃度値０を濃度値２３２とし、リニアな連続性をもったトーンカーブとしている。この結果、第３のトーンカーブ（２３）を適用後の８ｂｉｔの第３ａの多階調画像（２４）は、一見してコントラストの低いポジ状となって生成される。
【００４８】
次に、図３の点線囲い内のサブ処理フローに示したＳｔｅｐ４−２について説明する。ソフトウェアは、Ｓｔｅｐ３−２で生成した３系統目のポジ状の８ｂｉｔの第３ａの多階調画像（２４）に対し、第３のパターンファイルを適用した１ｂｉｔ２階調画像に変換して生成する。
【００４９】
本実施の形態では、図１０に示したように、３系統目のポジ状の８ｂｉｔの第３ａの多階調画像（２４）は、第３のパターンファイル（Ｃ）を適用する。第３のパターンファイル（Ｃ）は、図１で示した複写すると再現されない可視画線（１０）が創出されるものである。この結果、第３のパターンファイル（Ｃ）を適用後の１ｂｉｔ２階調画像は、一見して法線方向に横長の点線状となって生成される。これを第３の画像（２５）と称する。
【００５０】
なお、本実施の形態では、第３のパターンファイル（Ｃ）を適用した１ｂｉｔ２階調画像である第３の画像（２５）を、ソフトウェアは、８ｂｉｔ多階調画像から１ｂｉｔ２階調画像に変換する際、２４００ｄｐｉとなって生成される。これは、本実施の形態で用いられている最終的な印刷デバイスのカラー・レーザープリンタの出力解像度に合わせたものであり、これに限定されるものではない。
【００５１】
次に、図３に示したＳｔｅｐ５について説明する。ソフトウェアは、前述したように、第１の画像（１８）と第２の画像（１９）の１ｂｉｔ２階調画像の合成に合わせて、第３の画像（２５）も合成を行う。すなわち、図６に示した第１のパターンファイル（Ａ）を適用した１ｂｉｔ２階調画像である第１の画像（１８）と、第２のパターンファイル（Ｂ）を適用した１ｂｉｔ２階調画像である第２の画像（１９）と、図１０に示した第３のパターンファイル（Ｃ）を適用した１ｂｉｔ２階調画像である第３の画像（２５）とを合成し、図１１に示した一つの１ｂｉｔ２階調画像となって生成される。これを合成画像（２６）と称する。
【００５２】
（パターンファイル）
ここで、既にＳｔｅｐ４及びＳｔｅｐ４−２の説明で記載したパターンファイルについて詳細に説明する。パターンファイルは、図１２に示したように、潜像画線（７）を創出させるための第１のパターンファイル（Ａ）と、カモフラージュ画線（８）を創出させるための第３のパターンファイル（Ｂ）と、更に可視画線（１０）を創出させるための第３のパターンファイル（Ｃ）から成る。本実施の形態における各々のパターンファイルの画素数は、４２×３２ｐｉｘｌで、図３のＳｔｅｐ４における８ｂｉｔ多階調画像から１ｂｉｔ２階調画像に変換する際、２４００ｄｐｉで生成したときに、本発明が求める最適な画線寸法となるように設定したものである。
【００５３】
第１のパターンファイル（Ａ）は、１系統目の８ｂｉｔ多階調画像（１４）の濃度値に従って潜像画線（７）の画線幅を形成できる位置に、２５６階調から成る画素を設けている。また、第２のパターンファイル（Ｂ）は、２系統目の８ｂｉｔ多階調画像（１７）の濃度値に従ってカモフラージュ画線（８）の画線幅を形成できる位置に、２５６階調から成る画素を設けている。さらに、第３のパターンファイル（Ｃ）は、３系統目の８ｂｉｔ多階調画像（２２）の濃度値に従って、可視画線（１０）の画線幅が形成できる位置に、２５６階調から成る画素を設けている。
【００５４】
（印刷デバイスによる印刷）
図３に示した処理フローによって生成した１ｂｉｔ２階調画像又は３２ｂｉｔＣＭＹＫの多チャンネル画像の合成画像（２０、２６）は、カラー・レーザープリンタ等の各種印刷デバイスにて印刷可能である。印刷する色は何色でも構わないが、より効果を高める色としてはシアン単色、あるいはパステルカラーと呼ばれる中間色であることが望ましい。これら印刷設定については、各種印刷デバイスによって適時調整されるものであり、本発明における特許請求の範囲ではない。
【符号の説明】
【００５５】
１          偽造防止印刷物
２          基材
３          印刷模様
４          顔写真
５          潜像領域
６          潜像模様
７          潜像画線
８          カモフラージュ画線
９          可視模様
１０        可視画線
１１        基画像（２４ｂｉｔＲＧＢ画像の顔写真）
１２        第１の多階調画像（１系統目の８ｂｉｔ多階調画像）
１３        第１のトーンカーブ
１４        第１ａの多階調画像（第１のトーンカーブを適用後の８ｂｉｔ多階調画像）
１５        第２の多階調画像（２系統目の８ｂｉｔ多階調画像）
１６        第２のトーンカーブ
１７        第２ａの多階調画像（第２のトーンカーブを適用後の８ｂｉｔ多階調画像）
１８        第１の画像（第１のパターンファイル（Ａ）を適用後の１ｂｉｔ２階調画像）
１９        第２の画像（第２のパターンファイル（Ｂ）を適用後の１ｂｉｔ２階調画像）
２０、２６  合成画像
２１        ２４ｂｉｔＲＧＢ画像の模様
２２        第３の多階調画像（３系統目の８ｂｉｔ多階調画像）
２３        第３のトーンカーブ
２４        第３ａの多階調画像（第３のトーンカーブを適用後の８ｂｉｔ多階調画像）
２５        第３の画像（第３のパターンファイル（Ｃ）を適用後の１ｂｉｔ２階調画像）
Ａ            第１のパターンファイル
Ｂ            第２のパターンファイル
Ｃ            第３のパターンファイル
Ｍ１          入力手段
Ｍ１ａ        潜像模様入力手段
Ｍ１ｂ        可視模様入力手段
Ｍ１ｃ        情報入力手段
Ｍ２          編集手段
Ｍ２ａ        第１の画像生成手段
Ｍ２ｂ        第２の画像生成手段
Ｍ２ｃ        第３の画像生成手段
Ｍ２ｄ        画像合成手段
Ｍ３          出力手段
Ｍ４          表示手段
Ｍ５          通信インターフェース
Ｍ６          データベース
【図１】
2018134841.tif 000003
【図２】
2018134841.tif 000004
【図３】
2018134841.tif 000005
【図４】
2018134841.tif 000006
【図５】
2018134841.tif 000007
【図６】
2018134841.tif 000008
【図７】
2018134841.tif 000009
【図８】
2018134841.tif 000010
【図９】
2018134841.tif 000011
【図１０】
2018134841.tif 000012
【図１１】
2018134841.tif 000013
【図１２】
2018134841.tif 000014